(57)【要約】【課題】便座に着座した状態のままで臀部を楽に清拭できる、もしくは臀部を衛生的に清拭できる便座装置を提供する。【解決手段】便器の上部に設けられるベース部と、前記ベース部の上に設けられる便座と、を備え、前記ベース部は、開口部を有し、前記便座は、切り欠き部を有し、前記切り欠き部が配置された方向とは略逆方向に、且つ前記ベース部の上面に略沿うように直線的に移動可能とされ、前記切り欠き部の少なくとも一部は前記開口部に差し掛かるように移動可能とされたことを特徴とする便座装置が提供される。【選択図】図４
2009297445.tif 000002
【特許請求の範囲】
【請求項１】
便器の上部に設けられるベース部と、
前記ベース部の上に設けられる便座と、
を備え、
前記ベース部は、開口部を有し、
前記便座は、切り欠き部を有し、前記切り欠き部が配置された方向とは略逆方向に、且つ前記ベース部の上面に略沿うように直線的に移動可能とされ、前記切り欠き部の少なくとも一部は前記開口部に差し掛かるように移動可能とされたことを特徴とする便座装置。
【請求項２】
前記逆方向は、前後方向であることを特徴とする請求項１記載の便座装置。
【請求項３】
前記切り欠き部は、前記便座の開口部の左端部と、右端部と、の略中心部であって、且つ後方部に設けられたことを特徴とする請求項２記載の便座装置。
【請求項４】
前記切り欠き部は、前記便座の開口部の左端部と、右端部と、の略中心部から偏心した位置であって、且つ後方部に設けられたことを特徴とする請求項２記載の便座装置。
【請求項５】
前記逆方向は、左右方向であることを特徴とする請求項１記載の便座装置。
【請求項６】
前記切り欠き部は、前記便座の左側方部または右側方部のいずれか一方に設けられたことを特徴とする請求項５記載の便座装置。
【請求項７】
前記逆方向は、前後方向と左右方向とを合成した斜め方向であることを特徴とする請求項１記載の便座装置。
【請求項８】
前記切り欠き部は、前記便座の開口部の左端部と、右端部と、の略中心部から偏心した位置であって、且つ後方部に設けられたことを特徴とする請求項５または７に記載の便座装置。
【請求項９】
前記ベース部は、前記便座が用便位置にあるときに前記切り欠き部を充填する突起部を有することを特徴とする請求項１〜８のいずれか１つに記載の便座装置。
【請求項１０】
前記便器と、
前記便器に付設された請求項１〜９のいずれか１つに記載の便座装置と、
を備えたことを特徴とするトイレ装置。
【請求項１１】
前記便器の上部に付設された臀部洗浄装置をさらに備えたことを特徴とする請求項１０記載のトイレ装置。
【発明の詳細な説明】
【技術分野】
【０００１】
本発明は、便座装置及びトイレ装置に関し、具体的には便座に着座した状態のままで臀部を清拭できる便座装置及びこれを備えたトイレ装置に関する。
【背景技術】
【０００２】
便座に着座して用便を済ませた後、臀部を清拭するときには、使用者は臀部を上げて中腰体勢をとったり、便座の座面に対して略平行方向に臀部を移動させる必要がある。しかし、車いすを使用している体の不自由な障害者や足腰の弱った高齢者などにとって、臀部を上げて中腰体勢をとったり、便座の座面に対して略平行方向に臀部を移動させる動作は容易ではない。
【０００３】
これに対して、使用者が便座に着座した状態のままで臀部を清拭できる便座装置がある（例えば、特許文献１）。特許文献１に記載された便座装置は、便座に着座する使用者の尾てい骨が当たる後端部に凹部を有する便座を備えている。さらに、便座は、前端部に貫通凹部を有している。
【０００４】
しかし、便器の大きさによっては、便座の後端部に設けられた凹部の下方部に便器の縁があるおそれがあるため、手を挿入しづらいおそれがある。一方、便座の前端部に設けられた貫通凹部から手を挿入して清拭を行う場合には、陰部を汚すおそれがある。すなわち、使用者の前方から清拭動作を行うため、衛生的ではないという問題がある。
【０００５】
また、便座を前方にスライドさせることによって、使用者が便座に着座した状態のままで臀部を清拭できる便座装置がある（例えば、特許文献２）。しかし、便座を前方にスライドさせたとしても、特許文献１と同様に、便器の大きさによっては、清拭する手の挿入空間を十分に確保できないおそれがある。清拭する手を挿入しづらく、手を汚すおそれがあるため、衛生的ではないという問題がある。
【特許文献１】特開２００１−２９９６４３号公報
【特許文献２】特開２００６−２７１９３４号公報
【発明の開示】
【発明が解決しようとする課題】
【０００６】
本発明は、かかる課題の認識に基づいてなされたものであり、便座に着座した状態のままで臀部を楽に清拭できる、もしくは臀部を衛生的に清拭できる便座装置を提供する。
【課題を解決するための手段】
【０００７】
本発明の一態様によれば、便器の上部に設けられるベース部と、前記ベース部の上に設けられる便座と、を備え、前記ベース部は、開口部を有し、前記便座は、切り欠き部を有し、前記切り欠き部が配置された方向とは略逆方向に、且つ前記ベース部の上面に略沿うように直線的に移動可能とされ、前記切り欠き部の少なくとも一部は前記開口部に差し掛かるように移動可能とされたことを特徴とする便座装置が提供される。
【０００８】
また、本発明の他の一態様によれば、前記便器と、前記便器に付設された上記の便座装置と、を備えたことを特徴とするトイレ装置が提供される。
【発明の効果】
【０００９】
本発明によれば、便座に着座した状態のままで臀部を楽に清拭できる、もしくは臀部を衛生的に清拭できる便座装置が提供される。
【発明を実施するための最良の形態】
【００１０】
以下、本発明の実施の形態について図面を参照しつつ説明する。なお、各図面中、同様の構成要素には同一の符号を付して詳細な説明は適宜省略する。  
図１は、本発明の実施の形態にかかる便座装置が設置されたトイレ室を例示する模式図である。  
図１に表したトイレ室は、便座装置１０と、便器１００と、ロータンク１０４と、を備えている。便座装置１０は、便座１２と、ベース部１４と、を有している。ベース部１４は便器１００の上部に設置されており、便座１２はベース部１４の上部に設置されている。便座１２は、後に詳述するように、後方部に切り欠き部１２ａを有している。
【００１１】
ロータンク１０４は、壁面２０２に近接して設けられている。但し、図１に表したトイレ室においては、洗浄機構がいわゆる「ロータンク式」の大便器を例示しているが、この洗浄機構はロータンクを用いない、いわゆる「水道直圧式」であってもよい。その場合には、便座装置１０および便器１００が、壁面２０２に近接して設けられる。
【００１２】
また、便座１２に座った使用者の「おしり」などに向けて水を噴射し、「おしり」の洗浄を可能とした温水洗浄便座装置１０２（臀部洗浄装置）が、ベース部１４の後端部に付設されていてもよい。便座１２は、後に詳述するように、ベース部１４および便器１００に対して移動することができるが、便座１２の移動時に温水洗浄便座装置１０２が誤作動を起こすと、使用者の服に水がかかるなどするため、好ましくない。そこで、このように温水洗浄便座装置１０２がベース部１４に付設されている場合には、温水洗浄便座装置１０２と便座１２とが分離されるため、着座センサが人体の非着座状態を検知することになり、温水洗浄便座装置１０２の誤作動防止を期待することができる。なお、温水洗浄便座装置１０２は、便器１００の後端部に付設されていてもよい。
【００１３】
壁面２００には、手すり３００が設置されていてもよい。但し、手すり３００は、壁面２００に対向する図示しない壁面に設置されていてもよいし、便座装置１０の前方にある図示しない壁面に設置されていてもよい。壁面２００には、さらにペーパーホルダ３１０が設置され、そのペーパーホルダ３１０にトイレットペーパー３１２が設置されていてもよい。
【００１４】
車いすを使用している体の不自由な障害者などは、便座１２から車いすに移乗するとき、または車いすから便座１２に移乗するとき、例えば手すり３００などを利用する。一方、足腰の弱った高齢者なども同様に、便座１２から起立するとき、または便座１２に着座するとき、例えば手すり３００などを利用する。
【００１５】
図２は、本発明の第１の実施の形態にかかる便座装置を斜めから眺めた模式斜視図である。  
また、図３は、本実施形態にかかる便座装置を上方から眺めた模式上面図である。  
図２および３に表した便座装置１０は、便座１２が用便位置にある状態を表している。ベース部１４は、図示しない固定手段によって便器１００に固定されている。図示しない固定手段は、いわゆる「ボルト」などと呼ばれるものであってもよい。そのため、ベース部１４は、便器１００に対して移動することはできない。また、ベース部１４は、便座１２に対向する面にガイド部２４ａ、２４ｂを有している。ガイド部２４ａは、ベース部１４の左側方部において前後方向に沿って設けられている。ガイド部２４ｂは、ベース部１４の右側方部において前後方向に沿って設けられている。
【００１６】
便座１２は、便座１２の開口部１２ｃの左端部と右端部との略中心部、且つ後方部において、前後方向に沿って切り欠き部１２ａを有している。また、便座１２は、ベース部１４に対向する面に回動軸２２ａ、２２ｂを有している。回動軸２２ａはガイド部２４ａに係合され、回動軸２２ｂはガイド部２４ｂに係合されている。回動軸２２ａ、２２ｂは、便座１２が用便位置にあるときには、ガイド部２４ａ、２４ｂのそれぞれ略後端部に位置するように設けられている。
【００１７】
但し、本実施形態においては、便座１２が回動軸２２ａ、２２ｂを有し、ベース部１４がガイド部２４ａ、２４ｂを有しているが、これだけに限られるわけではなく、例えば、便座がガイド部を有し、ベース部が回動軸を有し、この回動軸がガイド部に係合されていてもよい。
【００１８】
図４は、本実施形態にかかる便座装置の便座が清拭位置にある状態を斜めから眺めた模式斜視図である。  
また、図５は、図４における便座装置を上方から眺めた模式上面図である。  
回動軸２２ａ、２２ｂは、ガイド部２４ａ、２４ｂにそれぞれ沿って移動することができる。すなわち、便座１２は、図４および５に表した動作のように、ベース部１４および便器１００に対して、ガイド部２４ａ、２４ｂに略沿うように、且つベース部１４の上面に略沿うように、前後移動４００を行うことができる。便座１２が清拭位置へ移動したときには、回動軸２２ａ、２２ｂは、ガイド部２４ａ、２４ｂの略前端部に位置する。
【００１９】
図４および５に表した状態のように、便座１２が清拭位置へ移動した場合に、便座１２を上方から眺めたとき、切り欠き部１２ａと、ベース部１４と、は重複していない。すなわち、便座１２を上方から眺めたとき、切り欠き部１２ａは、ベース部１４の開口部１４ｃに包含されている。したがって、切り欠き部１２ａの下方には、ベース部１４および便器１００が存在しない空間が生ずる。
【００２０】
この空間が生ずるため、使用者および介護者は、使用者が便座１２に着座した状態のままで、切り欠き部１２ａから手や携帯用洗浄器を挿入して楽に清拭動作を行うことができる。また、切り欠き部１２ａの下方に、ベース部１４および便器１００が存在しないため、手が汚れることは少なく、衛生的に清拭動作を行うことができる。
【００２１】
これに対して、便座が用便位置に固定されている場合には、例えば図２および３に表した状態のように、切り欠き部１２ａの下方部には、ベース部１４がある。すなわち、便座１２を上方から眺めたとき、切り欠き部１２ａと、ベース部１４と、は重複している。この状態においては、使用者および介護者が切り欠き部１２ａから手を挿入して清拭動作を行うことは、容易ではない。これは、切り欠き部１２ａの下方にベース部１４があるためである。
【００２２】
図６は、本実施形態にかかる便座装置の便座が清拭位置にある状態を右側方から眺めた模式斜視図である。  
図６に表した便座装置１０において、便座１２はベース部１４および便器１００に対して前方移動４０２を行っている。このとき、便座１２の前端部１２ｂと、便器１００の前端部１００ｂと、の間において空間１０６が生ずる。したがって、使用者は便座１２から起立するとき、または車いすに移動するとき、この空間１０６に足を引き込むことができるため、自然な前傾姿勢を取ることができる。すなわち、使用者は足を空間１０６に引き込むことで、起立動作や車いすへの移乗動作を楽に行うことができる。
【００２３】
さらに、便座１２の後端部１２ｄと、ロータンク１０４の前方面と、の間において空間１０８が生ずる。したがって、例えば、介護者が使用者の背後から介護を行う必要がある場合には、使用者とロータンク１０４との間の空間１０８に介護者が入り込むことで、介護動作を楽に行うことができる。
【００２４】
これに対して、便座１２が用便位置に固定されている場合には、使用者とロータンク１０４との間に空間１０８が生ずることはなく、使用者の背後から介護を行うことは容易ではない。洗浄機構が、いわゆる「水道直圧式」の場合には、便座装置１０および便器１００が壁面２０２に近接するため、使用者の背後から介護を行うことは、より容易ではなくなる。
【００２５】
以下、本実施形態の変形例について図面を参照しつつ説明する。  
図７は、本実施形態の変形例にかかる便座装置を斜めから眺めた模式斜視図である。  
また、図８は、図７における便座装置を上方から眺めた模式上面図である。  
なお、図７および８に表した便座装置１０は、便座１２が清拭位置にある状態を表している。
【００２６】
本具体例にかかる便座装置１０の便座１２は、便座１２の開口部１２ｃの左端部と右端部との略中心から右側方寄り、且つ後方部において、右斜め後方に向かって切り欠き部１２ａを有している。便座１２のその他の構造、および動作は、図２〜５を参照しつつ説明した便座１２の構造および動作と同様である。また、ベース部１４についても、図２〜５を参照しつつ説明したベース部１４の構造と同様であるため、その説明は省略する。なお、切り欠き部１２ａは、開口部１２ｃの左端部と右端部との略中心から左側方寄り、且つ後方部において、左斜め後方に向かって設けられていてもよい。すなわち、開口部１２ｃの左端部と右端部との略中心部から偏心した位置、且つ後方部に設けられている。
【００２７】
本具体例にかかる便座装置１０の便座１２が、清拭位置にある場合には、図４および５を参照しつつ説明した状態と同様に、切り欠き部１２ａの下方にベース部１４および便器１００が存在しない空間が生ずる。すなわち、切り欠き部１２ａの少なくとも一部は、ベース部１４の開口部１４ｃに差し掛かっている。さらに、切り欠き部１２ａが、開口部１２ｃの左端部と右端部との略中心から右側方寄り、且つ後方部において、右斜め後方に向かって設けられているため、使用者および介護者は、使用者が便座１２に着座した状態のままで、右斜め後方から手や携帯用洗浄器を挿入して、楽に清拭動作を行うことができる。
【００２８】
また、右斜め後方から手を挿入することができるため、右利きの介護者は、便器１００の右側方に立つことで、より楽に清拭動作を行うことができる。また、使用者自身が清拭動作を行う場合にも、左利きの使用者は、右斜め後方に設けられた切り欠き部１２ａから手を挿入することによって、より楽に清拭動作を行うことができる。
【００２９】
なお、切り欠き部１２ａが、開口部１２ｃの左端部と右端部との略中心から左側方寄り、且つ後方部において、左斜め後方に向かって設けられている場合には、左利きの介護者は、便器１００の左側方に立つことで、より楽に清拭動作を行うことができる。また、使用者自身が清拭動作を行う場合にも、右利きの使用者は、左斜め後方に設けられた切り欠き部１２ａから手を挿入することによって、より楽に清拭動作を行うことができる。  
なお、その他の効果についても、図２〜６を参照しつつ説明した実施形態と同様の効果を得ることができる。
【００３０】
図９は、本実施形態の他の変形例にかかる便座装置を斜めから眺めた模式斜視図である。  
また、図１０は、図９における便座装置を上方から眺めた模式上面図である。  
なお、図９および１０に表した便座装置１０は、便座１２が清拭位置にある状態を表している。
【００３１】
本具体例にかかる便座装置１０の便座１２は、便座１２の開口部１２ｃの左端部と右端部との略中心部より右側方寄り、且つ後方部において、前後方向および左右方向に沿って切り欠き部１２ａを有している。また、便座１２は、ベース部１４に対向する面に回動軸２２ａ、２２ｂを有し、回動軸２２ｂよりも回動軸２２ａの方が、後方寄りに設けられている。便座１２のその他の構造、および動作は、図２〜５を参照しつつ説明した便座１２の構造および動作と同様である。
【００３２】
ベース部１４は、便座１２に対向する面にガイド部２４ａ、２４ｂを有し、ガイド部２４ｂよりもガイド部２４ａの方が、後方寄りに設けられている。ベース部１４のその他の構造は、図２〜５を参照しつつ説明したベース部１４の構造と同様であるため、その説明は省略する。なお、切り欠き部１２ａは開口部１２ｃの左端部と右端部との略中心部より左側方寄り、且つ後方部において、前後方向および左右方向に沿って設けられていてもよい。すなわち、開口部１２ｃの左端部と右端部との略中心部から偏心した位置、且つ後方部に設けられている。その場合には、回動軸２２ａおよびガイド部２４ａよりも、回動軸２２ｂおよびガイド部２４ｂの方が、それぞれ後方寄りに設けられる。
【００３３】
本具体例にかかる便座装置１０の便座１２が清拭位置にあるときは、図９および１０に表した状態のように、切り欠き部１２ａの下方にベース部１４および便器１００が存在しない空間が生ずる。すなわち、切り欠き部１２ａの少なくとも一部は、ベース部１４の開口部１４ｃに差し掛かっている。また、便器１００の右側方に立っている介護者とっては、切り欠き部１２ａを略正面に眺めることができる。したがって、右利きの介護者はトイレ室の後方の奥に入らずに、便器１００の右側方に立つことで、より楽に清拭動作を行うことができる。また、使用者自身が清拭動作を行う場合にも、左利きの使用者は、右側方部に設けられた切り欠き部１２ａから手を挿入することによって、より楽に清拭動作を行うことができる。
【００３４】
なお、切り欠き部１２ａが、開口部１２ｃの左端部と右端部との略中心部より左側方寄り、且つ後方部において、前後方向および左右方向に沿って設けられている場合には、便器１００の左側方に立っている介護者とっては、切り欠き部１２ａを略正面に眺めることができる。したがって、左利きの介護者はトイレ室の後方の奥に入らずに、便器１００の左側方に立つことで、より楽に清拭動作を行うことができる。また、使用者自身が清拭動作を行う場合にも、右利きの使用者は、左側方部に設けられた切り欠き部１２ａから手を挿入することによって、より楽に清拭動作を行うことができる。  
なお、その他の効果についても、図２〜６を参照しつつ説明した実施形態と同様の効果を得ることができる。
【００３５】
以上説明したように、本実施形態によれば、切り欠き部１２ａの下方にベース部１４および便器１００が存在しない空間が生ずるため、使用者および介護者は、使用者が便座１２に着座した状態のままで、切り欠き部１２ａから手や携帯用洗浄器を挿入して楽に清拭動作を行うことができる。また、切り欠き部１２ａの下方に、ベース部１４および便器１００が存在しないため、手が汚れることは少なく、衛生的に清拭動作を行うことができる。
【００３６】
また、便座１２がベース部１４および便器１００に対して前方移動４０２を行うことによって、空間１０６が生ずるため、使用者は足を空間１０６に引き込むことで、起立動作や車いすへの移乗動作を楽に行うことができる。さらに、空間１０８が生ずるため、介護者が空間１０８に入り込むことで、使用者の背後から介護動作を楽に行うことができる。使用者および介護者は、楽に清拭動作を行うことができるため、使用者の身体機能が低下しても本実施形態の便座装置１０を使用し続けることができる。
【００３７】
図１１は、本発明の第２の実施の形態にかかる便座装置を上方から眺めた模式上面図である。  
図１１に表した便座装置１０は、便座１２が用便位置にある状態を表している。ベース部１４は、図２および３に表したベース部と同様に、図示しない固定手段によって便器１００に固定されている。図示しない固定手段は、いわゆる「ボルト」などと呼ばれるものであってもよい。そのため、ベース部１４は、便器１００に対して移動することはできない。また、ベース部１４は、便座１２に対向する面にガイド部２４ａ、２４ｂを有している。ガイド部２４ａは、ベース部１４の開口部１４ｃの左端部と右端部との略中心部、且つ後方部において、左右方向に沿って設けられている。ガイド部２４ｂは、ベース部１４の開口部１４ｃの左端部と右端部との略中心部、且つ前方部において、左右方向に沿って設けられている。
【００３８】
便座１２は、右側方部に左右方向に沿って切り欠き部１２ａを有している。また、便座１２は、ベース部１４に対向する面に回動軸２２ａ、２２ｂを有している。回動軸２２ａはガイド部２４ａに係合され、回動軸２２ｂはガイド部２４ｂに係合されている。回動軸２２ａ、２２ｂは、便座１２が用便位置にあるときには、ガイド部２４ａ、２４ｂのそれぞれ略右端部に位置するように設けられている。
【００３９】
但し、本実施形態においては、便座１２が回動軸２２ａ、２２ｂを有し、ベース部１４がガイド部２４ａ、２４ｂを有しているが、これだけに限られるわけではなく、例えば、便座がガイド部を有し、ベース部が回動軸を有し、この回動軸がガイド部に係合されていてもよい。なお、切り欠き部１２ａは、左側方部に左右方向に沿って設けられていてもよい。すなわち、切り欠き部１２ａは一方の側方部に設けられている。
【００４０】
図１２は、本実施形態にかかる便座装置の便座が清拭位置にある状態を斜めから眺めた模式斜視図である。  
また、図１３は、図１２における便座装置を上方から眺めた模式上面図である。  
回動軸２２ａ、２２ｂは、ガイド部２４ａ、２４ｂにそれぞれ沿って移動することができる。すなわち、便座１２は、図１２および１３に表した動作のように、ベース部１４および便器１００に対して、ガイド部２４ａ、２４ｂに略沿うように、且つベース部１４の上面に略沿うように、左右移動４１０を行うことができる。便座１２が清拭位置へ移動したときには、回動軸２２ａ、２２ｂは、ガイド部２４ａ、２４ｂの略左端部に位置する。
【００４１】
便座１２が、図１２および１３に表した状態のように、清拭位置へ移動した場合に、便座１２を上方から眺めたとき、切り欠き部１２ａと、ベース部１４と、は重複していない。すなわち、便座１２を上方から眺めたとき、切り欠き部１２ａは、ベース部１４の開口部１４ｃに包含されている。したがって、切り欠き部１２ａの下方には、ベース部１４および便器１００が存在しない空間が生ずる。
【００４２】
この空間が生ずるため、使用者および介護者は、使用者が便座１２に着座した状態のままで、切り欠き部１２ａから手や携帯用洗浄器を挿入して楽に清拭動作を行うことができる。また、切り欠き部１２ａの下方に、ベース部１４および便器１００が存在しないため、手が汚れることは少なく、衛生的に清拭動作を行うことができる。
【００４３】
また、便器１００の右側方に立っている介護者とっては、切り欠き部１２ａを略正面に眺めることができるため、図９および１０を参照しつつ説明した便座装置と同様の効果を得ることができる。なお、切り欠き部１２ａが、左側方部に左右方向に沿って設けられている場合においても、図９および１０を参照しつつ説明した便座装置１０と同様の効果を得ることができる。
【００４４】
さらに、本実施形態にかかる便座装置１０の便座１２が清拭位置にあるときには、便座１２の右側方に空間１１２が生ずる。したがって、例えば、介護者が使用者の右側方から介護を行う必要がある場合には、介護者が空間１１２に入り込むことで、介護動作を楽に行うことができる。また、便座１２が左側方に向かって移動するため、使用者にとっては手すり３００（図１参照）が近くなる。そのため、使用者は無理な前傾姿勢を取らずに、楽な姿勢で手すり３００を掴むことができる。すなわち、便座１２から車いすなどへの移乗動作または起立動作などを楽に行うことができる。
【００４５】
以下、本実施形態の変形例について図面を参照しつつ説明する。  
図１４は、本実施形態の変形例にかかる便座装置を斜めから眺めた模式斜視図である。  また、図１５は、図１４における便座装置を上方から眺めた模式上面図である。  
なお、図１４および１５に表した便座装置１０は、便座１２が清拭位置にある状態を表している。
【００４６】
本具体例にかかる便座装置１０の便座１２は、便座１２の開口部１２ｃの左端部と右端部との略中心部より右側方寄り、且つ後方部において、前後方向および左右方向に沿って切り欠き部１２ａを有している。また、便座１２は、ベース部１４に対向する面に回動軸２２ａ、２２ｂを有し、回動軸２２ｂよりも回動軸２２ａの方が、左側方寄りに設けられている。便座１２のその他の構造、および動作は、図１２および１３を参照しつつ説明した便座１２の構造および動作と同様である。
【００４７】
ベース部１４は、便座１２に対向する面にガイド部２４ａ、２４ｂを有し、ガイド部２４ｂよりもガイド部２４ａの方が、左側方寄りに設けられている。ベース部１４のその他の構造は、図１２および１３を参照しつつ説明したベース部１４の構造と同様であるため、その説明は省略する。
【００４８】
なお、切り欠き部１２ａは開口部１２ｃの左端部と右端部との略中心部より左側方寄り、且つ後方部において、前後方向および左右方向に沿って設けられていてもよい。すなわち、開口部１２ｃの左端部と右端部との略中心部から偏心した位置、且つ後方部に設けられている。この場合には、ガイド部２４ｂよりもガイド部２４ａの方が、右側方寄りに設けられ、回動軸２２ｂよりも回動軸２２ａの方が、右側方寄りに設けられる。
【００４９】
本具体例にかかる便座装置１０の便座１２が、清拭位置にある場合には、図１４および１５に表した状態のように、切り欠き部１２ａの下方にベース部１４および便器１００が存在しない空間が生ずる。すなわち、切り欠き部１２ａの少なくとも一部は、ベース部１４の開口部１４ｃに差し掛かっている。したがって、使用者および介護者は、使用者が便座１２に着座した状態のままで、右斜め後方から手や携帯用洗浄器を挿入して、楽に清拭動作を行うことができる。
【００５０】
また、右斜め後方から手を挿入することができるため、右利きの介護者は、便器１００の右側方に立つことで、より楽に清拭動作を行うことができる。また、使用者自身が清拭動作を行う場合にも、左利きの使用者は、右斜め後方に設けられた切り欠き部１２ａから手を挿入することによって、より楽に清拭動作を行うことができる。
【００５１】
なお、切り欠き部１２ａは開口部１２ｃの左端部と右端部との略中心部より左側方寄り、且つ後方部において、前後方向および左右方向に沿って設けられている場合には、左利きの介護者は、便器１００の左側方に立つことで、より楽に清拭動作を行うことができる。また、使用者自身が清拭動作を行う場合にも、右利きの使用者は、左斜め後方に設けられた切り欠き部１２ａから手を挿入することによって、より楽に清拭動作を行うことができる。なお、その他の効果についても、図１２および１３を参照しつつ説明した実施形態と同様の効果を得ることができる。
【００５２】
図１６は、本実施形態の他の変形例にかかる便座装置を斜めから眺めた模式斜視図である。  
ベース部１４は、切り欠き部１２ａと略同じ形状の突起部１４ａを上部に有している。突起部１４ａは、便座１２が用便位置にあるときに切り欠き部１２ａを充填するように切り欠き部１２ａの位置に設けられている。その他の構造は図１２および１３に表したベース部１４と同様である。また、便座１２の構造および動作については、図１２および１３に表した便座１２と同様であるため、その説明は省略する。
【００５３】
図１２および１３に表した便座装置１０においては、切り欠き部１２ａが便座１２の右側方部に設けられているため、使用者が便座１２に着座しているときには、使用者の臀部もしくは太股の一部が、切り欠き部１２ａから下方に下がるおそれがある。使用者の臀部もしくは太股の一部が切り欠き部１２ａから下方に下がると、使用者は不快感を感じるだけではなく、使用者の着座状態が不安定になるおそれがある。
【００５４】
これに対して、本変形例にかかる便座装置１０においては、切り欠き部１２ａと突起部１４ａとが、略同じ形状をなして突起部１４ａが切り欠き部１２ａを充填するため、便座１２が用便位置にあるときには、便座１２の上面（座面）と、突起部１４ａの上面（座面）と、が略同一面となる。これによって、使用者が便座１２に着座しているときに、使用者の臀部もしくは太股の一部が、切り欠き部１２ａから下方に下がることはない。したがって、使用者は不快感を感じることは少なく、さらに使用者の着座状態はより安定する。また、突起部１４ａによって切り欠き部１２ａの空間が塞がれるため、排泄時の汚水や汚物の跳ね返りなどを防止することもできる。
【００５５】
なお、図１６に表したような突起部１４ａは、図２〜５、図９〜１０、および図１４〜１５に表した便座装置１０において、便座１２が用便位置にあるときの切り欠き部１２ａの略位置に設けられていてもよい。このようにすれば、図１６に表した便座装置１０と同様に、使用者の臀部が切り欠き部１２ａに掛かる場合であっても、臀部の一部が下方に下がることはない。
【００５６】
また、便座１２が清拭位置にあるときには、図１２および１３に表した便座装置１０と同様に、切り欠き部１２ａの下方にベース部１４および便器１００が存在しない空間が生ずる。すなわち、切り欠き部１２ａの少なくとも一部は、ベース部１４の開口部１４ｃに差し掛かっている。したがって、使用者および介護者は、使用者が便座１２に着座した状態のままで、切り欠き部１２ａから手を挿入して、楽に清拭動作を行うことができる。なお、その他の効果についても、図１２および１３を参照しつつ説明した実施形態と同様の効果を得ることができる。
【００５７】
以上説明したように、本実施形態によれば、切り欠き部１２ａの下方に、ベース部１４および便器１００が存在しない空間が生じ、且つ便器１００の右側方に立っている介護者とっては、切り欠き部１２ａを略正面に眺めることができるため、使用者および介護者は楽に清拭動作を行うことができる。さらに、便座１２が清拭位置にあるときには、便座１２の右側方に空間１１２が生ずるため、例えば、介護者が使用者の右側方から介護を行う必要がある場合には、介護者が空間１１２に入り込むことで、介護動作を楽に行うことができる。
【００５８】
また、便座１２が左側方に向かって移動することによって、使用者にとっては手すり３００が近くなるため、使用者は無理な前傾姿勢を取らずに、楽な姿勢で手すり３００を掴むことができる。すなわち、便座１２から車いすなどへの移乗動作または起立動作などを楽に行うことができる。なお、その他の効果についても、図２〜１０を参照しつつ説明した実施形態と同様の効果を得ることができる。
【００５９】
図１７は、本発明の第３の実施の形態にかかる便座装置を斜めから眺めた模式斜視図である。  
また、図１８は、本実施形態にかかる便座装置を上方から眺めた模式上面図である。  
なお、図１７および１８に表した便座装置は、便座１２が清拭位置にある状態を表している。
【００６０】
ベース部１４は、図２および３に表したベース部１４と同様に、図示しない固定手段によって便器１００に固定されている。図示しない固定手段は、いわゆる「ボルト」などと呼ばれるものであってもよい。そのため、ベース部１４は、便器１００に対して移動することはできない。また、ベース部１４は、便座１２に対向する面にガイド部２４ａ、２４ｂを有している。ガイド部２４ａは、ベース部１４の左側方部、且つ後方部において右斜め後方に向かって設けられている。ガイド部２４ｂは、ベース部１４の右側方部、且つ後方部において右斜め後方に向かって設けられている。
【００６１】
便座１２の構造は、図７および８を参照しつつ説明した便座１２の構造と同様であるため、その説明は省略する。なお、ガイド部２４ａ、２４ｂは、左斜め後方に向かって設けられ、切り欠き部１２ａは、開口部１２ｃの左端部と右端部との略中心から左側方寄り、且つ後方部において、左斜め後方に向かって設けられていてもよい。すなわち、開口部１２ｃの左端部と右端部との略中心部から偏心した位置、且つ後方部に設けられている。
【００６２】
回動軸２２ａ、２２ｂは、ガイド部２４ａ、２４ｂにそれぞれ沿って移動することができる。すなわち、便座１２は、図４および５に表した動作のように、ベース部１４および便器１００に対して、ガイド部２４ａ、２４ｂに略沿うように、且つベース部１４の上面に略沿うように、斜め移動４２０を行うことができる。便座１２が清拭位置へ移動したときには、回動軸２２ａ、２２ｂは、ガイド部２４ａ、２４ｂの略前端部に位置する。
【００６３】
したがって、便座１２が清拭位置に移動するときには、切り欠き部１２ａは、ベース部１４の開口部１４ｃの略中心部に向かって移動する。これによって、便座１２が清拭位置へ移動した場合に、便座１２を上方から眺めたとき、切り欠き部１２ａと、ベース部１４と、は重複しなくなる。すなわち、便座１２を上方から眺めたとき、切り欠き部１２ａは、ベース部１４の開口部１４ｃに包含される。したがって、切り欠き部１２ａの下方には、ベース部１４および便器１００が存在しない空間が生ずる。
【００６４】
この空間が生ずるため、使用者および介護者は、使用者が便座１２に着座した状態のままで、切り欠き部１２ａから手や携帯用洗浄器を挿入して楽に清拭動作を行うことができる。また、切り欠き部１２ａの下方に、ベース部１４および便器１００が存在しないため、手が汚れることは少なく、衛生的に清拭動作を行うことができる。
【００６５】
さらに、切り欠き部１２ａが、開口部１２ｃの左端部と右端部との略中心から右側方寄り、且つ後方部において、右斜め後方に向かって設けられているため、使用者および介護者は、使用者が便座１２に着座した状態のままで、右斜め後方から手や携帯用洗浄器を挿入して、楽に清拭動作を行うことができる。なお、本実施形態においても、便座１２が用便位置にあるときの切り欠き部１２ａの略位置に、図１６に表したような突起部１４ａが設けられていてもよい。このようにすれば、図１６を参照しつつ説明した効果と同様の効果を得ることができる。
【００６６】
さらに、便座１２が左斜め前方に向かって移動するため、使用者にとっては手すり３００（図１参照）が近くなる。そのため、使用者は無理な前傾姿勢を取らずに、楽な姿勢で手すり３００を掴むことができる。すなわち、便座１２から車いすなどへの移乗動作または起立動作などを楽に行うことができる。なお、その他の効果についても、図２〜１０を参照しつつ説明した実施形態と同様の効果を得ることができる。
【００６７】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、便座１２およびベース部１４などが備える各要素の形状、寸法、材質、配置などや便座装置１０の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【図面の簡単な説明】
【００６８】
【図１】本発明の実施の形態にかかる便座装置が設置されたトイレ室を例示する模式図である。
【図２】本発明の第１の実施の形態にかかる便座装置を斜めから眺めた模式斜視図である。
【図３】本実施形態にかかる便座装置を上方から眺めた模式上面図である。
【図４】本実施形態にかかる便座装置の便座が清拭位置にある状態を斜めから眺めた模式斜視図である。
【図５】図４における便座装置を上方から眺めた模式上面図である。
【図６】本実施形態にかかる便座装置の便座が清拭位置にある状態を右側方から眺めた模式斜視図である。
【図７】本実施形態の変形例にかかる便座装置を斜めから眺めた模式斜視図である。
【図８】図７における便座装置を上方から眺めた模式上面図である。
【図９】本実施形態の他の変形例にかかる便座装置を斜めから眺めた模式斜視図である。
【図１０】図９における便座装置を上方から眺めた模式上面図である。
【図１１】本発明の第２の実施の形態にかかる便座装置を上方から眺めた模式上面図である。
【図１２】本実施形態にかかる便座装置の便座が清拭位置にある状態を斜めから眺めた模式斜視図である。
【図１３】図１２における便座装置を上方から眺めた模式上面図である。
【図１４】本実施形態の変形例にかかる便座装置を斜めから眺めた模式斜視図である。
【図１５】図１４における便座装置を上方から眺めた模式上面図である。
【図１６】本実施形態の他の変形例にかかる便座装置を斜めから眺めた模式斜視図である。
【図１７】本発明の第３の実施の形態にかかる便座装置を斜めから眺めた模式斜視図である。
【図１８】本実施形態にかかる便座装置を上方から眺めた模式上面図である。
【符号の説明】
【００６９】
１０ 便座装置、  １２ 便座、  １２ａ 切り欠き部、  １２ｂ 前端部、  １２ｃ 開口部、  １２ｄ 後端部、  １４ ベース部、  １４ａ 突起部、  １４ｃ 開口部、  ２２ａ、２２ｂ 回動軸、  ２４ａ、２４ｂ ガイド部、  １００ 便器、  １００ｂ 前端部、  １０２ 温水洗浄便座装置（臀部洗浄装置）、  １０４ ロータンク、  １０６、１０８、１１２ 空間、  ２００、２０２ 壁面、  ３００ 手すり、  ３１０ ペーパーホルダ、  ３１２ トイレットペーパー、  ４００ 前後移動、  ４０２ 前方移動、  ４１０ 左右移動、  ４２０ 斜め移動
【図１】
2009297445.tif 000003
【図２】
2009297445.tif 000004
【図３】
2009297445.tif 000005
【図４】
2009297445.tif 000006
【図５】
2009297445.tif 000007
【図６】
2009297445.tif 000008
【図７】
2009297445.tif 000009
【図８】
2009297445.tif 000010
【図９】
2009297445.tif 000011
【図１０】
2009297445.tif 000012
【図１１】
2009297445.tif 000013
【図１２】
2009297445.tif 000014
【図１３】
2009297445.tif 000015
【図１４】
2009297445.tif 000016
【図１５】
2009297445.tif 000017
【図１６】
2009297445.tif 000018
【図１７】
2009297445.tif 000019
【図１８】
2009297445.tif 000020